(57)【要約】【課題】  木製構造物においてリユース性を確保しつつ耐力壁部材を取り付けることのできる接合ユニット。【解決手段】  木製構造物において柱部材と横架部材とにより囲まれた空間に耐力壁部材を取り付ける接合ユニットは、耐力壁部材の偶部に固定的に取り付けられる第１係合部材と、第１係合部材に固定的に連結されて、柱部材および横架部材のうちの少なくとも一方の部材の隅部に押圧力をもって当接する第２係合部材とを備えている。【選択図】  図１
2013108221.tif 000002
【特許請求の範囲】
【請求項１】
木質構造システムにおいて柱部材と横架部材とにより囲まれた空間に耐力壁部材を取り付ける接合ユニットであって、
前記耐力壁部材の隅部に固定的に取り付けられる第１係合部材と、
前記第１係合部材に固定的に連結されて、前記柱部材および前記横架部材のうちの少なくとも一方の部材の側面に押圧力をもって当接する第２係合部材とを備えていることを特徴とする接合ユニット。
【請求項２】
前記第２係合部材は、その本体と、該本体に螺合して前記少なくとも一方の部材の側面に当接する当接部とを有することを特徴とする請求項１に記載の接合ユニット。
【請求項３】
前記当接部の一端には当接面が設けられ、前記当接部の他端には非円形状の貫通孔または非貫通孔が設けられていることを特徴とする請求項１または２に記載の接合ユニット。
【請求項４】
前記当接面は、円形状であることを特徴とする請求項３に記載の接合ユニット。
【請求項５】
前記貫通孔または非貫通孔は、角形状、マイナス字形状、または十字形状であることを特徴とする請求項３または４に記載の接合ユニット。
【請求項６】
前記本体は、前記非貫通孔に係合して前記当接部を回転させる工具が使用可能な形態を有することを特徴とする請求項３乃至５のいずれか１項に記載の接合ユニット。
【請求項７】
前記第２係合部材は、前記柱部材の側面に当接する第１の当接部と、前記横架部材の側面に当接する第２の当接部とを有することを特徴とする請求項２乃至６のいずれか１項に記載の接合ユニット。
【請求項８】
前記第１係合部材は、前記耐力壁部材の端面に当接した状態で取り付けられるプレートを有することを特徴とする請求項１乃至７のいずれか１項に記載の接合ユニット。
【請求項９】
前記第１係合部材は、前記柱部材の側面に対向する前記耐力壁部材の第１の端面に当接した状態で取り付けられる第１のプレートと、前記横架部材の側面に対向する前記耐力壁部材の第２の端面に当接した状態で取り付けられる第２のプレートとを有することを特徴とする請求項１乃至８のいずれか１項に記載の接合ユニット。
【請求項１０】
前記プレートには、前記第１係合部材を前記耐力壁部材の隅部に固定的に取り付ける際に用いられるビスまたは釘のための貫通孔が設けられていることを特徴とする請求項８または９に記載の接合ユニット。
【請求項１１】
木質部材により構成された木質構造システムにおいて、
請求項１乃至１０のいずれか１項に記載の接合ユニットを用いて、柱部材と横架部材とにより形成される空間に耐力壁部材が取り付けられていることを特徴とする木質構造システム。
【請求項１２】
前記耐力壁部材はパネルの形態または筋違い部材の形態を有することを特徴とする請求項１１に記載の木質構造システム。
【発明の詳細な説明】
【技術分野】
【０００１】
本発明は、接合ユニットおよび木質構造システムに関する。さらに詳細には、本発明は、木質構造システムにおいて柱梁フレームに耐力壁部材を取り付ける接合ユニットに関するものである。
【背景技術】
【０００２】
従来の木質構造システムでは、図７に示すように、耐力壁部材としての筋違い部材７１或いはパネル状の部材（不図示）が、柱部材７２および横架部材（土台部材または梁部材）７３に、接合金物７４を介して取り付けられる。接合金物７４は、釘やビスを用いて、木質部材７１〜７３に取り付けられる。本明細書において、「木質構造システム」とは、木質部材により構成された構造物であり、「木質部材」とは、いわゆるエンジニアリングウッド（合板、集成材など）からなる部材だけでなく天然木材からなる無垢の木製部材も含む広い概念である。
【発明の概要】
【発明が解決しようとする課題】
【０００３】
従来の木質構造システムでは、釘やビスを打ち付けることにより耐力壁部材や柱・梁部材が傷むため、耐力壁部材のリユース（再利用）が困難である。すなわち、解体時に接合金物から釘やビスを取り外すと、釘やビスが打ち付けられていた耐力壁部材や柱・梁部材が傷んでしまう。釘やビスにより一旦傷んだ耐力壁部材や柱・梁部材を無理にリユースすると、接合金物による耐力壁部材や柱・梁部材の接合が不十分になる。その結果、構造物の安全性を確保するには、使用済みの耐力壁部材や柱・梁部材をリユースすることなく、新規に用意した耐力壁部材や柱・梁部材を使用する必要がある。
【０００４】
本発明は、前述の課題に鑑みてなされたものであり、木質構造システムにおいてリユース性を確保しつつ耐力壁部材を取り付けることのできる接合ユニットを提供することを目的とする。
【課題を解決するための手段】
【０００５】
前記課題を解決するために、本発明の第１形態では、木質構造システムにおいて柱部材と横架部材とにより囲まれた空間に耐力壁部材を取り付ける接合ユニットであって、
前記耐力壁部材の隅部に固定的に取り付けられる第１係合部材と、
前記第１係合部材に固定的に連結されて、前記柱部材および前記横架部材のうちの少なくとも一方の部材の側面に押圧力をもって当接する第２係合部材とを備えていることを特徴とする接合ユニットを提供する。
【０００６】
本発明の第２形態では、木質部材により構成された木質構造システムにおいて、
第１形態の接合ユニットを用いて、柱部材と横架部材とにより形成される空間に耐力壁部材が取り付けられていることを特徴とする木質構造システムを提供する。
【発明の効果】
【０００７】
本発明の接合ユニットは、柱部材および横架部材のうちの少なくとも一方の部材の側面に押圧力をもって当接する係合方式にしたがって、柱部材と横架部材とにより囲まれた空間に耐力壁部材を係脱自在に取り付ける。その結果、解体時には耐力壁部材に釘やビスに起因する傷が残らないので、所要の品質を確保しつつ耐力壁部材をリユースすることができる。
【図面の簡単な説明】
【０００８】
【図１】本発明の実施形態にかかる木質構造システムの要部構成を概略的に示す図である。
【図２】本実施形態にかかる接合ユニットのＸＺ平面に沿った断面図である。
【図３】本実施形態の接合ユニットを＋Ｘ方向に向かって見た側面図である。
【図４】本実施形態の接合ユニットを−Ｚ方向に向かって見た側面図である。
【図５】本実施形態の接合ユニットを−Ｘ方向に向かって見た側面図である。
【図６】本実施形態の接合ユニットを＋Ｚ方向に向かって見た側面図である。
【図７】従来の木質構造システムにおける耐力壁部材の取付け形態を説明する図である。
【発明を実施するための形態】
【０００９】
本発明の実施形態を、添付図面に基づいて説明する。図１は、本発明の実施形態にかかる木質構造システムの要部構成を概略的に示す図である。本実施形態の木質構造システムでは、例えば木質パネルの形態を有する矩形状の耐力壁部材１０が、鉛直方向に延びる一対の柱部材１１，１２と、水平方向に延びる一対の横架部材（土台部材（または梁部材）１３および梁部材１４）とにより囲まれた空間に、４つの接合ユニット１により取り付けられている。４つの接合ユニット１は、互いに同じ構成を有し、耐力壁部材１０の四隅に固定的に取り付けられている。
【００１０】
以下、図１において耐力壁部材１０の左上の隅部に取り付けられた接合ユニット１に着目して、接合ユニット１の構成および作用について説明する。接合ユニット１は、図２に示すように、柱部材１１の側面１１ａ（図２では不図示：図１を参照）に対向する耐力壁部材１０の端面１０ａに当接した状態で取り付けられるプレート２と、梁部材１４の側面１４ａ（図２では不図示：図１を参照）に対向する耐力壁部材１０の端面１０ｂに当接した状態で取り付けられるプレート３とを有する。
【００１１】
図２では、図３〜図６も参照して接合ユニット１の構成の理解が容易になるように、図２の紙面において水平方向右向きにＸ軸を、図２の紙面に垂直な方向にＹ軸を、図２の紙面において鉛直方向上向きにＺ軸を設定している。したがって、図２は、接合ユニット１のＸＺ平面に沿った断面図である。図３は接合ユニット１を＋Ｘ方向に向かって見た側面図であり、図４は接合ユニット１を−Ｚ方向に向かって見た側面図である。図５は接合ユニット１を−Ｘ方向に向かって見た側面図であり、図６は接合ユニット１を＋Ｚ方向に向かって見た側面図である。
【００１２】
プレート２には、図３および図５に示すように、耐力壁部材１０の隅部（すなわち耐力壁部材１０の端面１０ａ）に固定的に取り付ける際に用いられるビスまたは釘のための貫通孔２ａが設けられている。同様に、プレート３には、図４および図６に示すように、耐力壁部材１０の隅部（すなわち耐力壁部材１０の端面１０ｂ）に固定的に取り付ける際に用いられるビスまたは釘のための貫通孔３ａが設けられている。このように、一対のプレート２，３は、耐力壁部材１０の隅部に固定的に取り付けられる第１係合部材を構成している。ここで、耐力壁部材１０の「隅部」とは、隅部およびその近傍を含む広い概念である。また、横架部材としての梁部材１４の「側面」とは、梁部材１４の上面または下面を指している。
【００１３】
接合ユニット１は、第１係合部材（２，３）に固定的に連結されて、柱部材１１の側面１１ａ（図１を参照）および梁部材１４の側面１４ａ（図１を参照）に押圧力をもって当接する第２係合部材（４，５，６）を有する。第２係合部材（４〜６）は、その本体４と、本体４に螺合して柱部材１１の側面１１ａに当接する当接部５と、本体４に螺合して梁部材１４の側面１４ａに当接する当接部６とを有する。
【００１４】
第１係合部材を構成する一対のプレート２，３は、第２係合部材の本体４に溶接されている。あるいは、一対のプレート２，３と本体４とは一体的に成形されている。一対の当接部５と６とは、互いに同じ構成を有する。具体的に、当接部５，６の一端には例えば円形状の当接面５ａ，６ａ（図３および図４を参照）が設けられ、当接部５，６の他端には例えば六角形状（一般的には非円形状）の非貫通孔５ｂ，６ｂ（図５および図６を参照）が設けられている。
【００１５】
本体４は、例えば壁面に垂直なＹ方向に沿って延びる筒状の形態を有し、その断面は中空四角形状である。本体４には、当接部５，６の六角形状の非貫通孔５ｂ，６ｂに係合して当接部５，６を回転させる工具（例えば六角棒スパナ）のアクセスを許容する作業用の開口部４ａ，４ｂ（図２、図５および図６を参照）が設けられている。換言すれば、本体４は、六角形状の非貫通孔５ｂ，６ｂに係合して当接部５，６を回転させる六角棒スパナが使用可能な形態を有する。第２係合部材の本体の具体的な構成については、様々な形態が可能である。
【００１６】
本実施形態では、柱部材１１，１２と横架部材１３，１４とにより囲まれた空間に対する耐力壁部材１０の取付けに際して、耐力壁部材１０に接合ユニット１を取り付ける。具体的には、プレート２，３に設けられた複数の貫通孔２ａ，３ａを介してビスまたは釘を耐力壁部材１０に打ち付けることにより、４つの接合ユニット１を耐力壁部材１０の四隅に固定的に取り付ける。次いで、接合ユニット１が固定的に取り付けられた耐力壁部材１０を、柱部材１１，１２と横架部材１３，１４とにより囲まれた空間に挿入し、耐力壁部材１０を所要の位置に所要の姿勢で保持する。
【００１７】
最後に、各接合ユニット１について、作業用の開口部４ａ，４ｂを介して当接部５，６の六角形状の非貫通孔５ｂ，６ｂに六角棒スパナの先端を係合させ、非貫通孔５ｂ，６ｂに係合した状態で六角棒スパナの手元部分を回動させることにより、当接面５ａ，６ａが対応する柱部材１１，１２の側面および横架部材１３，１４の側面に押圧力をもって当接するまで当接部５，６を回転させる。こうして、接合ユニット１の作用により、柱部材１１，１２と横架部材１３，１４とにより囲まれた空間に、耐力壁部材１０が係脱自在に取り付けられる。
【００１８】
本実施形態にかかる木質構造システムの解体時には、六角棒スパナを利用して各接合ユニット１の当接部５，６を回転させることにより、当接面５ａ，６ａを対応する柱部材１１，１２の側面および横架部材１３，１４の側面から離間させる。そして、接合ユニット１が固定的に取り付けられた耐力壁部材１０を、柱部材１１，１２と横架部材１３，１４とにより囲まれた空間から取り外す。取り外された耐力壁部材１０は、接合ユニット１が固定的に取り付けられた状態でリユースに供される。
【００１９】
本実施形態では、耐力壁部材１０に固定的に取り付けられた接合ユニット１において螺合により進退可能な当接部５，６の当接面５ａ，６ａを、対応する柱部材１１，１２の側面および横架部材１３，１４の側面に押圧力をもって当接させることにより、柱部材１１，１２と横架部材１３，１４とにより囲まれた空間に耐力壁部材１０が係脱自在に取り付けられる。すなわち、耐力壁部材１０は、釘やビスを用いることなく、柱部材１１，１２および横架部材１３，１４に取り付けられる。
【００２０】
したがって、解体時には、耐力壁部材１０や柱・梁部材１１，１２，１４に釘やビスに起因する傷が残らない。その結果、初期使用における品質とほぼ同等の品質を確保しつつ、耐力壁部材１０や柱・梁部材１１，１２，１４をリユースすることができる。そして、耐力壁部材１０や柱・梁部材１１，１２，１４を廃材にすることなくリユースすることにより、経済的な負荷、環境的な負荷などを低減することができる。すなわち、本実施形態にかかる接合ユニット１は、木質構造システムにおいてリユース性を確保しつつ耐力壁部材１０や柱・梁部材１１，１２，１４を取り付けることができる。
【００２１】
なお、上述の説明では、当接部５，６の当接面５ａ，６ａを、対応する柱部材１１，１２の側面および横架部材１３，１４の側面の双方に、押圧力をもって当接させている。しかしながら、これに限定されることなく、柱部材１１，１２および横架部材１３，１４のうちのいずれか一方の部材だけに、対応する当接面５ａまたは６ａを当接させても良い。
【００２２】
また、上述の説明では、１つの接合ユニット１が、１つの当接部５（ひいては１つの当接面５ａ）と、１つの当接部６（ひいては１つの当接面６ａ）とを有する。しかしながら、これに限定されることなく、１つの接合ユニット１が、複数の当接部５（ひいては複数の当接面５ａ）および／または複数の当接部６（ひいては複数の当接面６ａ）を有する形態も可能である。
【００２３】
また、上述の説明では、パネルの形態を有する耐力壁部材１０の取付けを例にとって、本発明を説明している。しかしながら、パネルの形態に限定されることなく、例えば筋違い部材の形態を有する耐力壁部材の取付けに対しても同様に本発明を適用することができる。
【００２４】
また、上述の説明では、当接部５，６の他端に六角形状の非貫通孔５ｂ，６ｂを設けている。しかしながら、六角形状に限定されることなく、他の角形状、マイナス字形状、十字形状などの非円形状の非貫通孔を当接部の他端に設けることもできる。また、非貫通孔に限定されることなく、角形状、マイナス字形状、十字形状などの非円形状の貫通孔を当接部の他端に設けることもできる。
【００２５】
また、上述の説明では、一対のプレート２，３にビスまたは釘のための貫通孔２ａ，３ａを設け、ビスまたは釘により一対のプレート２，３を耐力壁部材１０の隅部に固定的に取り付けている。しかしながら、一対のプレートに貫通孔を設けることなく、接着剤を用いて一対のプレートを耐力壁部材の隅部に固定的に取り付けることもできる。
【符号の説明】
【００２６】
１  接合ユニット
２，３  第１係合部材のプレート
４  第２係合部材の本体
５，６  第２係合部材の当接部
１０  耐力壁部材
１１，１２  柱部材
１３  土台部材（横架部材）
１４  梁部材（横架部材）
【図１】
2013108221.tif 000003
【図２】
2013108221.tif 000004
【図３】
2013108221.tif 000005
【図４】
2013108221.tif 000006
【図５】
2013108221.tif 000007
【図６】
2013108221.tif 000008
【図７】
2013108221.tif 000009